(57)【要約】【課題】  本発明は前面フレーム開閉可能な額縁組立て式の額縁に関し、特に額縁を平面又は壁等に縦に取付けたいずれの場合においてもフレームを前面で開いた状態で絵画等の掲示物を容易にセットできる額縁に関する。【解決手段】    コーナーパーツ底部外側に一体的に形成されたヒンジ部にフレーム本体下端の回動部が嵌着され、且つ、延設部に設けられたスリットにストッパーが嵌挿されるので、額縁の４辺をなすフレーム本体同士が、コーナーパーツによってそれぞれ直角に結合され、４辺のフレーム本体同士が離脱しないように固定され、フレーム本体下端の回動部の回動に伴いフレーム本体に一体的に形成された掲示物上面周縁押え部が前面で開閉自在に構成されたことを特徴とする前面フレーム開閉可能な額縁を提供する。【選択図】図４
2011143228.tif 000002
【特許請求の範囲】
【請求項１】
コーナーパーツ底部外側に一体的に形成されたヒンジ部にフレーム本体下端の回動部が嵌着され、更に延設部に設けられたスリットにストッパー部材が嵌挿され、額縁の４辺をなすフレーム本体同士が、コーナーパーツによってそれぞれ直角に結合され、４辺のフレーム本体同士が離脱しないように固定され、フレーム本体下端の回動部の回動に伴いフレーム本体に一体的に形成された掲示物上面周縁押え部が前面で開閉自在に構成されたことを特徴とする前面フレーム開閉可能な額縁。
【請求項２】
フレーム本体の内側に一体的に形成された延設部先端の板ばね当接部と、コーナーパーツに一体的に形成された板ばね当接部との間に金属製トグル機能板ばねを嵌着して構成されたことを特徴とする請求項１記載の前面フレーム開閉可能な額縁。
【請求項３】
フレーム本体の内側から一体的に延設される延設部先端に、掲示物裏面当接樹脂製ばね材の基部が嵌着固定され、掲示物裏面当接樹脂製ばね材の先端部が掲示物の裏面を押圧保持するように構成されたことを特徴とする請求項１記載の前面フレーム開閉可能な額縁。
【請求項４】
ストッパー部材の下端がコーナーパーツに対して一体的に固定され、該ストッパー部材の先端部内側に掲示物の側面が当接される当接部が形成されていることを特徴とする請求項１記載の前面フレーム開閉可能な額縁。
【発明の詳細な説明】
【技術分野】
【０００１】  本発明は前面フレーム開閉可能な額縁組立て式の額縁に関し、特に額縁を平面又は壁等に縦に取付けたいずれの場合においてもフレームを前面で開いた状態で絵画等の掲示物を容易にセットできる額縁に関する。
【背景技術】
【０００２】  額縁フレームを前面開閉式にする額縁が開発されており、絵画や写真等の作品をセットしたり、取り替えるときにはコーナー部の連結を外したり、組み立てたりする手間が掛かるものであった。また、組み立て後に固定するための構造は、ロック部材やストッパーと等の部品を取り付けるために複雑な構造を必要とするものであった。【０００３】  これらの例としては、特開２００５−１６８９４５号公報「額縁」や実用新案登録第３０８３５０７号公報「前面開放式額縁」等が開示されている。
【先行技術文献】
【特許文献】
【０００４】
【特許文献１】  特開２００５−１６８９４５号
【特許文献２】  実用新案登録第３０８３５０７号
【発明の開示】
【発明が解決しようとする課題】
【０００５】  前記せる特開２００５−１６８９４５号公報では、この種の連結具は、絵画等の作品をセットしたり、取り替えるときにはコーナー部の連結を外したり、組み立てたりする手間が掛かるものであった。また、ベースフレームとフロントフレームの両方のフレームを必要とするものであった。【０００６】  また、前記せる実用新案登録第３０８３５０７号公報の場合も、コーナーの連結金具を必要とし、且つ、ベースフレームとフロントフレームの両方のフレームを必要とするものであった。
【課題を解決するための手段】
【０００７】    このような課題を解決するために鋭意研究の結果、本発明の前面フレーム開閉可能な額縁は、ベースフレームを不要とし、コーナーパーツ底部外側に一体的に形成されたヒンジ部にフレーム本体下端の回動部が嵌着され、更に延設部に設けられたスリットにストッパー部材が嵌挿されるので、額縁の４辺をなすフレーム本体同士が、コーナーパーツによってそれぞれ直角に結合され、４辺のフレーム本体同士が離脱しないように固定され、フレーム本体下端の回動部の回動に伴いフレーム本体に一体的に形成された掲示物上面周縁押え部が前面で開閉自在に構成される。【０００８】  フレーム本体の内側に一体的に形成された延設部先端の板ばね当接部と、コーナーパーツに一体的に形成された板ばね当接部との間に金属製トグル機能板ばねを嵌着して構成されたことを特徴とし、且つ、フレーム本体の内側から一体的に延設される延設部先端に、掲示物裏面当接樹脂製ばね材の基部が嵌着固定され、掲示物裏面当接樹脂製ばね材の先端部が掲示物の裏面を押圧保持するように構成される。【０００９】  ストッパー部材の下端がコーナーパーツに対して一体的に固定され、該ストッパー部材の先端部内側に掲示物の側面が当接される当接部が形成されていることを特徴とするフレーム開閉可能な額縁を提供するものである。
【発明の効果】
【００１０】  本発明の額縁によれば、前面にてフレームを開放できるので、掲示物のセットや交換が容易にできる効果がある。また、従来の前面開放式額縁ではベースフレームとフロントフレームが必要であったが、本発明の場合は、一種類のフレームとコーナーパーツにて前面開閉可能な額縁が形成されるものであり、更に、掲示物の厚さが異なっても、特別な操作をしなくても、掲示物裏面当接樹脂製ばね材の作用で掲示物上面周縁押え部が掲示物の周縁に密着する効果がある。【００１１】  また、本発明の額縁によれば、額縁を壁に取付けた状態でも、前面にて容易にフレームを開放できるので、掲示物の交換を容易に行うことができる。
【図面の簡単な説明】
【００１２】
【図１】本発明の前面フレーム開閉可能な額縁の平面図である。
【図２】コーナーパーツの平面図である。
【図３】図２の正面図である。
【図４】図１のＡ−Ａ線拡大断面図である。
【図５】本発明額縁を縦方向にした部分断面図である。
【発明を実施するための形態】
【００１３】  以下、図面に基づいて、本発明を実施するための形態を具体的に説明する。
図面に於いて、図１は本発明の前面フレーム開閉可能な額縁の平面図である。図２はコーナーパーツの平面図である。図３は図２の正面図である。図４は図１のＡ−Ａ線拡大断面図である。図５は本発明の額縁を壁に取付け、又はたてかけた状態の部分断面図である。
【００１４】  図１乃至図４に示すように、コーナーパーツ底部３１の外側に一体的に形成されたヒンジ部３４にフレーム本体１の下端の回動部１１が嵌着され、且つ、延設部２に設けられたスリット２２にストッパー３３が嵌挿されるので、その結果、額縁の４辺を成すフレーム本体１同士が、コーナーパーツ３によってそれぞれ直角に結合され、４辺のフレーム１同士が離脱しないように固定される。
【００１５】  フレーム本体１の下端の回動部１１の回動に伴いフレーム本体１に一体的に形成された掲示物上面周縁押え部１０が額縁の前面で開閉自在に構成されているので、本発明の額縁を壁に取付け、又はたてかけた状態であっても、掲示物５のセットや交換が容易にできるようになっている。
【００１６】  図４に示すように、フレーム本体１の内側に一体的に形成された延設部２の先端の板ばね当接部２１と、コーナーパーツ底部３１に一体的に形成された板ばね当接部３２との間に金属製トグル機能板ばね６が嵌着されている。
【００１７】  フレーム本体１の内側から一体的に延設される延設部２の先端に、掲示物裏面当接樹脂製ばね材４の基部が嵌着固定され、掲示物裏面当接樹脂製ばね材４の先端部が掲示物５の裏面を押圧保持するように構成されている。
【００１８】  図１では額縁が正方形に表記されているが、正方形に限定されるものではなく、長方形の額縁であっても同様の機構で構成することができる。
【００１９】  図４乃至図５に示すように、ストッパー部材３３の下端がコーナーパーツ底部３１に対して一体的に固定され、該ストッパー部材３３の先端部内側に掲示物５の側面が当接される当接部３３１が形成されているので、掲示物５の本発明の額縁を壁に取付け、又はたてかけた状態であっても、当接部３３１に掲示物５の自重を受けているのでフレーム本体１を前面で開いても掲示物５は保持されセットや交換が容易にできるようになっている。
【００２０】  本発明の額縁を平らに置いてフレーム本体１を開いて掲示物をセットや交換をする場合でも上記当接部３３１が掲示物５の４辺に当接されるので、掲示物５が前後左右に偏るのを防ぐ作用を成している。
【符号の説明】
【００２１】  １．フレーム本体
１０．掲示物上面周縁押え部
１１．回動部
２．延設部
２１．板ばね当接部
２２．スリット
３．コーナーパーツ
３１．コーナーパーツ底部
３２．板ばね当接部
３３．ストッパー部材
３３１．当接部
３４．ヒンジ部
４．掲示物裏面当接樹脂製ばね材
５．掲示物
６．金属製トグル機能板ばね
【図１】
2011143228.tif 000003
【図２】
2011143228.tif 000004
【図３】
2011143228.tif 000005
【図４】
2011143228.tif 000006
【図５】
2011143228.tif 000007